(57)【要約】【課題】本発明は、ポートを増設しなくても、外部の独立グラフィックカードに接続することができるポータブルコンピューターを提供することを目的とする。【解決手段】本発明に係るポータブルコンピューターは、ＰＣＩｅコントローラーと、ディスプレイポートホットプラグピンを備えるディスプレイポートコネクターと、前記ディスプレイポートホットプラグピンに接続される選択ピンを備え、且つ前記ＰＣＩｅコントローラーと前記ディスプレイポートコネクターとの間に接続されるコンビネーションスイッチとを備え、前記ディスプレイポートコネクターがＰＣＩｅデバイスである外部の独立グラフィックカードに接続されると、前記ディスプレイポートホットプラグピンは前記選択ピンに第一信号を送信し、前記コンビネーションスイッチは前記第一信号の制御によって前記ＰＣＩｅコントローラーと前記ディスプレイポートコネクターとを電気導通させる。【選択図】図２
2011187052.tif 000002
【特許請求の範囲】
【請求項１】
ＰＣＩｅコントローラーと、
ディスプレイポートホットプラグピンを備えるディスプレイポートコネクターと、
前記ディスプレイポートホットプラグピンに接続される選択ピンを備え、且つ前記ＰＣＩｅコントローラーと前記ディスプレイポートコネクターとの間に接続されるコンビネーションスイッチと、
備えているポータブルコンピューターであって、
前記ディスプレイポートコネクターがＰＣＩｅデバイスである外部の独立グラフィックカードに接続されると、前記ディスプレイポートホットプラグピンは前記選択ピンに第一信号を送信し、前記コンビネーションスイッチは前記第一信号の制御によって前記ＰＣＩｅコントローラーと前記ディスプレイポートコネクターとを電気導通させることを特徴とするポータブルコンピューター。
【請求項２】
前記コンビネーションスイッチに接続され且つディスプレイポートインターフェースを有するグラフィックコントローラーをさらに備え、
前記ディスプレイポートコネクターが独立したディスプレイに接続されると、前記ディスプレイポートホットプラグピンは前記選択ピンに第二信号を送信し、前記コンビネーションスイッチは前記第二信号の制御によって前記グラフィックコントローラーと前記ディスプレイポートコネクターとを電気導通させることを特徴とする請求項１に記載のポータブルコンピューター。
【請求項３】
前記コンビネーションスイッチは、複数の切換スイッチを備え、各々の前記切換スイッチは、前記ＰＣＩｅコントローラーに接続される第一ピン、前記グラフィックコントローラーに接続される第二ピン及び前記ディスプレイポートコネクターに接続される第三ピンを備え、前記選択ピンが第一信号を受信すると、前記第一ピンと前記第三ピンとが電気導通され、前記選択ピンが第二信号を受信すると、前記第二ピンと前記第三ピンとが電気導通されることを特徴とする請求項２に記載のポータブルコンピューター。
【請求項４】
前記ＰＣＩｅコントローラーは、複数の前記第一ピンに対応して接続される複数のＰＣＩｅピンを備え、前記グラフィックコントローラーは、複数の前記第二ピンに対応して接続される複数のコントローラーピンを備え、前記ディスプレイポートコネクターは、複数の前記第三ピンに対応して接続される複数のディスプレイポートピンを備えることを特徴とする請求項３に記載のポータブルコンピューター。
【請求項５】
前記ポータブルコンピューターは電源検出回路をさらに備え、前記コンビネーションスイッチはラッチピンをさらに備え、
前記ポータブルコンピューターの電圧が定格電圧に達すると、前記電源検出回路は前記ラッチピンに電気信号を送信して、前記ラッチピンは前記コンビネーションスイッチのスイッチ方向をロックすることを特徴とする請求項４に記載のポータブルコンピューター。
【請求項６】
前記グラフィックコントローラーは、ホット・プラグ状態を検出するために用いられる検出ピンをさらに備え、前記選択ピンは、前記ディスプレイポートホットプラグピン及び前記検出ピンに接続されることを特徴とする請求項２又は３に記載のポータブルコンピューター。
【発明の詳細な説明】
【技術分野】
【０００１】
本発明は、ポータブルコンピューターに関するものであって、特に外部の独立グラフィックカードに接続することができるポータブルコンピューターに関するものである。
【背景技術】
【０００２】
ポータブルコンピューターには、一般的に高い性能を持つ独立グラフィックカードが搭載されていないため、ポータブルコンピューターは、便利に携帯することができるが、高い性能の画面処理機能を有しない。ポータブルコンピューターにポートを増設して、ポータブルコンピューターを外部の独立グラフィックカードに接続することができるが、このようにするとポータブルコンピューターの体積を増大する。
【発明の概要】
【発明が解決しようとする課題】
【０００３】
本発明の目的は、前記課題を解決し、ポートを増設しなくても、外部の独立グラフィックカードに接続することができるポータブルコンピューターを提供することである。
【課題を解決するための手段】
【０００４】
本発明に係るポータブルコンピューターは、ＰＣＩｅコントローラーと、ディスプレイポートホットプラグピンを備えるディスプレイポートコネクターと、前記ディスプレイポートホットプラグピンに接続される選択ピンを備え、且つ前記ＰＣＩｅコントローラーと前記ディスプレイポートコネクターとの間に接続されるコンビネーションスイッチと、備え、前記ディスプレイポートコネクターがＰＣＩｅデバイスである外部の独立グラフィックカードに接続されると、前記ディスプレイポートホットプラグピンは前記選択ピンに第一信号を送信し、前記コンビネーションスイッチは前記第一信号の制御によって前記ＰＣＩｅコントローラーと前記ディスプレイポートコネクターとを電気導通させる。
【発明の効果】
【０００５】
本発明に係るポータブルコンピューターにおいて、その内部にコンビネーションスイッチを搭載したので、前記ポータブルコンピューター内部の回路接続方式を切り替えることにより、ディスプレイポートコネクターとＰＣＩｅコントローラーとを電気導通させて、前記ポータブルコンピューターは、前記ディスプレイポートコネクターによって外部の独立グラフィックカードに接続される。
【図面の簡単な説明】
【０００６】
【図１】本発明の実施形態に係るポータブルコンピューターを外部のディスプレイに接続したことを示す図である。
【図２】本発明の実施形態に係るポータブルコンピューターを外部の独立グラフィックカードに接続したことを示す図である。
【発明を実施するための形態】
【０００７】
以下、図面を参照して、本発明の実施形態について説明する。
【０００８】
図１及び図２を参照すると、本発明の実施形態に係るポータブルコンピューター１００は、ＰＣＩｅ（Ｐｅｒｉｐｈｅｒａｌ  Ｃｏｍｐｏｎｅｎｔ  Ｉｎｔｅｒｃｏｎｎｅｃｔ  Ｅｘｐｒｅｓｓ）コントローラー１０と、グラフィックコントローラー２０と、コンビネーションスイッチ３０と、ディスプレイポート（Ｄｉｓｐｌａｙ  Ｐｏｒｔ，ＤＰ）コネクター４０と、電源検出回路５０と、を備える。
【０００９】
前記ＰＣＩｅコントローラー１０は、ＰＣＩｅデバイスを接続するために用いられる。本実施形態において、前記ＰＣＩｅコントローラー１０は、独立グラフィックカードを接続するために用いられる。前記ＰＣＩｅコントローラー１０は、少なくとも１つのＰＣＩｅインターフェースを提供する。本実施形態において、前記ＰＣＩｅコントローラー１０は、２つのＰＣＩｅインターフェースを提供する。前記ＰＣＩｅコントローラー１０は、１２本のＰＣＩｅピン１１０を備える。
【００１０】
前記グラフィックコントローラー２０は、外部のディスプレイ２００にビデオ及びグラフィック信号を出力するために用いられる。前記グラフィックコントローラー２０は、ディスプレイポートインターフェースを有する。ディスプレイポート規格とは、ビデオエレクトロニクス規格協会（Ｖｉｄｅｏ  Ｅｌｅｃｔｒｏｎｉｃｓ  Ｓｔａｎｄａｒｄｓ  Ａｓｓｏｃｉａｔｉｏｎ，ＶＥＳＡ）によって規格化されたインターフェイス規格である。本実施形態において、前記グラフィックコントローラー２０は、１２本のコントローラーピン２１０及び１本の検出ピン２２０を備える。前記コントローラーピン２１０は、前記ディスプレイ２００にビデオとグラフィック信号を出力するために用いられる。前記検出ピン２２０は、ホット・プラグ状態を検出するために用いられる。
【００１１】
前記ディスプレイポートコネクター４０は、ディスプレイポート規格を満足するコネクターである。前記ディスプレイポートコネクター４０は、前記グラフィックコントローラー２０が出力するビデオ及びグラフィック信号を受信してから、前記ディスプレイ２００に出力する。前記ディスプレイポートコネクター４０は、１２本のディスプレイポートピン４１０及び１本のディスプレイポートホットプラグピン４２０を備える。前記ディスプレイポートピン４１０は、前記コンビネーションスイッチ３０に接続される。前記ディスプレイポートホットプラグピン４２０は、前記グラフィックコントローラー２０の検出ピン２２０に接続される。本実施形態において、前記ディスプレイポートコネクター４０は、ディスプレイポートインターフェースを有するＰＣＩｅアダプター３００によって、ＰＣＩｅデバイスである外部の独立グラフィックカード４００に接続される。前記ディスプレイポートコネクター４０を前記独立グラフィックカード４００に接続してから、前記独立グラフィックカード４００を再び前記ディスプレイ２００に接続することができる。
【００１２】
前記コンビネーションスイッチ３０は、１２個の切換スイッチ３１０、１本の選択ピン３２０、１本のラッチピン３３０を備える。前記切換スイッチ３１０は、高速信号スイッチであり、第一ピン３１１、第二ピン３１２及び第三ピン３１３を備える。各々の前記第一ピン３１１は、対応する前記ＰＣＩｅピン１１０に接続される。各々の前記第二ピン３１２は、対応する前記コントローラーピン２１０に接続される。各々の前記第三ピン３１３は、対応する前記ディスプレイポートピン４１０に接続される。
【００１３】
前記選択ピン３２０は、前記切換スイッチ３１０のスイッチ方向を設定するために用いられる。前記コンビネーションスイッチ３０によって、前記ディスプレイポートコネクター４０と前記ＰＣＩｅコントローラー１０とを電気導通させるか、又は前記ディスプレイポートコネクター４０と前記グラフィックコントローラー２０とを電気導通させる。前記選択ピン３２０は、前記ディスプレイポートホットプラグピン４２０及び前記検出ピン２２０に接続される。従来のポータブルコンピューターのディスプレイポートコネクターは、ただディスプレイとグラフィックコントローラーを接続して、前記グラフィックコントローラーが出力するビデオ及びグラフィック信号を前記ディスプレイに出力する。しかし、本発明の前記ポータブルコンピューター１００に前記ＰＣＩｅコントローラー１０及び前記グラフィックコントローラー２０に接続される前記コンビネーションスイッチ３０を搭載したので、前記ディスプレイポートコネクター４０は、前記ディスプレイ２００と前記グラフィックコントローラー２０を接続することができ、且つ前記ＰＣＩｅコントローラー１０と前記独立グラフィックカード４００を接続することもできる。
【００１４】
前記ディスプレイ２００が出力するホットプラグ検出信号の電圧は、前記独立グラフィックカード４００が出力するホットプラグ検出信号の電圧より大きいので、前記ディスプレイ２００が出力するホットプラグ検出信号を第一信号として、前記独立グラフィックカード４００が出力するホットプラグ検出信号を第二信号とする。前記ディスプレイポートコネクター４０が前記ディスプレイ２００に接続されると、前記選択ピン３２０は、前記ディスプレイポートホットプラグピン４２０から第一信号を受信し、且つ前記切換スイッチ３１０の第二ピン３１２と第三ピン３１３とを電気導通させて、前記ディスプレイポートコネクター４０は、前記グラフィックコントローラー２０が出力するビデオ及びグラフィック信号を受信してから、前記独立ディスプレイ２００に出力する。前記ディスプレイポートコネクター４０が前記独立グラフィックカード４００に接続されると、前記選択ピン３２０は、前記ディスプレイポートホットプラグピン４２０から第二信号を受信し、且つ前記切換スイッチ３１０の第一ピン３１１と第三ピン３１３とを電気導通させて、前記ディスプレイポートコネクター４０は、前記ＰＣＩｅコントローラー１０が出力するＰＣＩｅ信号を受信してから、前記独立グラフィックカード４００に出力する。
【００１５】
前記ラッチピン３３０は、前記切換スイッチ３１０のスイッチ方向をロックするために用いられる。前記ラッチピン３３０は、前記電源検出回路５０に接続される。前記電源検出回路５０が前記ラッチピン３３０に電気信号を送信すると、前記ラッチピン３３０は前記切換スイッチ３１０のスイッチ方向をロックして、前記選択ピン３２０が外部の妨害を受けて、前記切換スイッチ３１０のスイッチ方向の不確実な転換を避ける。
【００１６】
前記電源検出回路５０は、前記ポータブルコンピューター１００の電力供給状態が安定であるか否かを検出するために用いられ、前記ポータブルコンピューター１００の電力供給状態が安定であると、前記ラッチピン３３０に電気信号を送信する。本実施形態において、前記電源検出回路５０は、電圧検出回路を採用して前記ポータブルコンピューター１００の電圧が定格電圧に達したか否かを検出して、もし前記ポータブルコンピューター１００の電圧が定格電圧に達すると、前記電源検出回路５０は前記ラッチピン３３０に電気信号を送信する。
【００１７】
本発明のポータブルコンピューター１００において、その内部に前記コンビネーションスイッチ３０を搭載したので、前記ポータブルコンピューター１００内部の回路接続方式を切り替えることにより、前記ディスプレイポートコネクター４０と前記ＰＣＩｅコントローラー１０とを電気導通させて、前記ポータブルコンピューター１００は前記ディスプレイポートコネクター４０によって外部の前記独立グラフィックカード４００に接続される。
【００１８】
以上、本発明を実施例に基づいて具体的に説明したが、本発明は、上述の実施例に限定されるものではなく、その要旨を逸脱しない範囲において、種種の変更が可能であることは勿論であって、本発明の技術的範囲は、以下の特許請求の範囲から決まる。
【符号の説明】
【００１９】
１０  ＰＣＩｅコントローラー
２０  グラフィックコントローラー
３０  コンビネーションスイッチ
４０  ディスプレイポートコネクター
５０  電源検出回路
１００  ポータブルコンピューター
１１０  ＰＣＩｅピン
２００  ディスプレイ
２１０  コントローラーピン
２２０  検出ピン
３００  ＰＣＩｅアダプター
３１０  切換スイッチ
３１１  第一ピン
３１２  第二ピン
３１３  第三ピン
３２０  選択ピン
３３０  ラッチピン
４００  独立グラフィックカード
４１０  ディスプレイポートピン
４２０  ディスプレイポートホットプラグピン
【図１】
2011187052.tif 000003
【図２】
2011187052.tif 000004